(57)【要約】【課題】本発明は、竿本体が本来有する特性を長期にわたって保つことができる釣り竿を提供しようとするものである。【解決手段】先細りした筒状に形成された繊維強化樹脂製の竿本体を備えた釣り竿において、竿本体と同軸をなすとともに、竿本体の内周面に外周面を密接させた筒状の補強材が設けられてなることを特徴とする。【選択図】          図１
2004194645.tif 000002
【特許請求の範囲】
【請求項１】
先細りした筒状に形成された繊維強化樹脂製の竿本体を備えた釣り竿において、竿本体と同軸をなすとともに、竿本体の内周面に外周面を密接させた筒状の補強材が設けられてなることを特徴とする釣り竿。
【請求項２】
補強材は、竿本体の内周面に樹脂塗料が塗布されて形成された塗膜からなる請求項１記載の釣り竿。
【発明の詳細な説明】
【０００１】
【発明の属する技術分野】
本発明は、先細りに形成された竿本体が繊維強化樹脂により形成された釣り竿に関する。
【０００２】
【従来の技術】
従来から、先細にテーパ状をなす竿本体を備えた釣り竿が周知であり。かかる釣り竿には種々形態のものがあり、例えば、竿本体そのものが釣り竿となったものや、竿本体の基端部にグリップが設けられたものがある。
【０００３】
さらに、これらの釣り竿には、竿本体が長手方向に継ぎ目部分を有しないワンピースタイプや、径の異なる複数の筒状ピースを継ぎ合わせて、一本の竿本体にする継ぎ合わせタイプ、筒状をなす大径のピースに内挿された小径のピースを引き出すことで一本の竿本体にする振り出しタイプなどがある。
【０００４】
これらの釣り竿は、軽量化や耐曲げ強度の観点から、竿本体やこれを構成するピース（以下、竿本体等という）が、繊維強化樹脂により形成されたものが普及している。
【０００５】
この繊維強化樹脂製の竿本体等は、カーボン繊維又はガラス繊維等の強化材（強化用繊維）に合成樹脂を含浸させたプリプレグを、幾層にも巻き付けて先細りした筒状に形成し、それを焼成することで成形されている。
【０００６】
【発明が解決しようとする課題】
ところで、長期にわたって使用された釣り竿は、その期間に使用した回数（キャスティングや対象魚の釣り上げ等の回数）に対応して竿本体に曲げ荷重が幾度と無く繰り返し生じ、これに伴って竿本体に曲げ荷重に対応した内部応力が発生したという経過を有しており、かかる釣り竿の竿本体を構成する繊維強化樹脂の合成樹脂は、疲労傾向にある場合が多い。
【０００７】
その為、長期にわたって使用された釣り竿を使用すると、疲労傾向にある合成樹脂に内部応力が作用した際に、当該合成樹脂が微小部分で疲労破壊したり、強化用繊維との接着状態が悪化したりして、最終的には強化用繊維同士（厳密には合成樹脂と強化用繊維と）が剥離してしまうことがあった。
【０００８】
そうすると、竿本体の本来有していた弾性や耐曲げ強度等の特性が低下してしまい、竿本体が、いわゆる「竿の腰が抜けた状態」となってしまうといった問題があった。
【０００９】
そこで、本発明は、斯かる実情に鑑み、竿本体が本来有する特性を長期にわたって保つことができる釣り竿を提供しようとするものである。
【００１０】
【課題を解決するための手段】
本発明にかかる釣り竿は、請求項１記載の如く、先細りした筒状に形成された繊維強化樹脂製の竿本体を備えた釣り竿において、竿本体と同軸をなすとともに、竿本体の内周面に外周面を密接させた筒状の補強材が設けられてなることを特徴とする。なお、竿本体とは、当該竿本体自体が釣り竿を構成するものを含む概念である。また、繊維強化樹脂とは、幾層にも重ね合わされたカーボン繊維又はガラス繊維等の強化用繊維同士が合成樹脂（接着剤を含む）で接着された状態のものをいう。
【００１１】
上記釣り竿によれば、筒状の補強材が、竿本体と同軸をなすとともに、竿本体の内周面に外周面を密接させて設けられているので、キャスティング時に竿本体の先端（ティップ）側に大きく生じる遠心力や、対象魚の釣り上げ時にティップ側に生じる引っ張り力等による荷重（曲げ荷重）が、竿本体及び補強材に作用することとなる。したがって、従来の釣り竿では竿本体にのみ作用していた曲げ荷重が、本発明にかかる釣り竿では、補強材にも作用することとなり、竿本体に作用する曲げ荷重を軽減することができる。
【００１２】
これにより、竿本体を形成する繊維強化樹脂における強化用繊維間（強化用繊維と合成樹脂との間）に生じる内部応力を抑えることができ、強化用繊維同士が剥離するといった事態を長期にわたって回避することができる。
【００１３】
したがって、上記構成の釣り竿によれば、竿本体が有する弾性や強度等の特性を長期に亘って保つことができる。
【００１４】
また、請求項２記載の如く、補強材は、竿本体の内周面に樹脂塗料が塗布されて形成された塗膜からなることが好ましい。このようにすれば、竿本体の内周面に樹脂塗料を塗布するだけで、外周面が竿本体の内周面に接着された（密着した）筒状の補強材（塗膜）を形成することができる。したがって、製造工程を少なくして製造コストを低減した上で、キャスティング時や釣り中等に生じる曲げ荷重の一部を負担する補強材を形成することができ、高性能な釣り竿を低コストで提供することができる。なお、上記樹脂塗料としては、ウレタン系塗料や、エポキシ系塗料等を採用することができる。
【００１５】
【発明の実施の形態】
以下、本発明の一実施形態にかかる釣り竿について添付図面を参照して説明する。なお、釣り竿としては種々形態のものがあるが、本実施形態においては、ベイトタイプやスピニングタイプのリールを取り付けて使用するものを一例として説明する
【００１６】
本実施形態にかかる釣り竿は、図１に示す如く、基端から先端にかけて一体的に先細りに形成された竿本体１と、該竿本体１を補強する補強材２（図２）と、竿本体１の基端部に設けられたグリップ体３とを備えたいわゆるワンピースロッドである。
【００１７】
竿本体１は、外形に対応した中空部が形成された筒状体であり、カーボン繊維又はガラス繊維等を強化材（強化用繊維）とした繊維強化樹脂により成形されている。なお、本実施形態における繊維強化樹脂は、強化材としてカーボン繊維を採用している。
【００１８】
具体的に説明すると、竿本体１は、カーボン繊維に合成樹脂を含浸させたシート状のプリプレグを積層するように巻き付けて先細りした筒状に形成し、それを焼成することで、積層されたプリプレグ（カーボン繊維と合成樹脂と）が一体化して成型されたものである。したがって、当該竿本体１における軸心方向と直交方向の断面は、図２（部分拡大断面図）に示す如く、内周面から外周面に向けてカーボン繊維４，４…が積層されるとともに、該積層されたカーボン繊維４，４…間に合成樹脂５，５…が介在した状態をなし、当該合成樹脂５がカーボン繊維４，４同士を接着した状態をなしている。
【００１９】
このように成形された竿本体１は、外周面に樹脂塗料によって装飾用の塗装が施されており、外周面上に装飾塗膜６が形成されている。
【００２０】
補強材２は、本発明の特徴部分であり、竿本体１と同軸をなして該竿本体１の内周面に外周面を密接させて筒状をなしている。すなわち、補強材２は、竿本体１と略相似形をなしている。
【００２１】
当該補強材２は、所定厚さとなるように竿本体１の内周面に樹脂塗料を塗布して乾燥させることにより形成された塗膜２（以下、補強塗膜という）である。この補強塗膜２を形成する樹脂塗料としては、ウレタン系塗料やエポキシ系塗料であって、塗膜が乾燥後に定形性を備えた状態となった際に、当該塗膜が竿本体１の撓りに対応して伸縮できるようにしたものを採用することが好ましい。
【００２２】
図１に戻り、上記構成の竿本体１は、リールＲから引き出した釣り糸Ｌを挿通する複数のガイドリング７，７…が、当該竿本体１の長手方向に所定間隔を有して突設されている。具体的には、竿本体１の先端部に第一のガイドリング７が突設され、該ガイドリング７を基準にして竿本体１の基端側に向けて間隔が徐々に広くなるように、第二、第三、第四…のガイドリング７，７…が設けられている。これらのガイドリング７，７…は、竿本体１の基端側のガイドリング７，７…ほど内径が大きくなっており、後述するリールシート部８に取り付けられたリールＲから引き出した釣り糸Ｌを略直線状で挿通できるように設けられている。
【００２３】
前記グリップ体３は、一端が開口するとともに他端が閉塞されたいわゆる有底筒状をなしており、上記構成の竿本体１の基端部に同軸状態で外嵌されて固着されている。該グリップ体３は、一端側（竿本体１に取り付けられた状態における竿本体１の先端側）にリールＲを取り付けるリールシート部８が形成され、他端側（竿本体１の基端側）に釣り人が把持する把持部９が形成されている。
【００２４】
リールシート部８は、前記ガイドリング７，７…の配設位置と対応してリールＲを取り付け得るように構成されている。本実施形態にかかるリールシート部８は、リールＲの平面視略矩形状のプレート体からなるフットＦの一端部を差し込む第一取付部１０と、該第一取付部１０に対しグリップ体３の軸方向に相対移動自在なリール取付体１１と、リール取付体１１を固定する固定ナット１２とで構成されている。
【００２５】
前記第一取付部１０は、竿本体１の先端に向けて開口が形成されるようにグリップ体３に形成された穴である。前記リール取付体１１は、リング状をなしており、グリップ体３に遊嵌されている。また、該リール取付体１１には、第一取付部１０に一端部が差し込まれたリールＲのフットＦの他端部を差し込む第二取付部１３が形成されている。この第二取付部１３は、第一取付部１０の開口と対向する開口を備えた穴である。
【００２６】
固定ナット１２は、グリップ体３に螺嵌されており、前記第一取付部１０及び第二取付部１３にリールＲのフットＦの両端部を差し込んだ状態で、グリップ体３の他端に向けて締め付けることで、リール取付体１１をグリップ体３の他端に向けて付勢し、リールＲを当該リールシート部８に固定するように設けられている。
【００２７】
把持部９は、コルク材や発泡樹脂等を滑り止めとしてグリップ体３の他端部側に外嵌して固着することにより形成されている。
【００２８】
以上構成からなる釣り竿で釣りを行う場合、リールＲから引き出した釣り糸Ｌを各ガイドリング７，７…に挿通し、竿本体１の先端（先端部に取り付けたガイドリング７）から垂下状態にある釣り糸Ｌの先端部に疑似餌や、釣り用の仕掛け（以下、疑似餌等という）を取り付ける。
【００２９】
この状態で、釣り竿を振って疑似餌等を遠方に投げ（キャスティングし）、疑似餌等が着水した後に、リールＲで釣り糸Ｌを巻き取って釣り上げる対象となる対象魚を誘い出し、その誘いにのって対象魚が疑似餌等に食い付く（ヒットする）と、当該対象魚を釣り上げることができることとなる。このようにキャスティングを行った際には、釣り竿を振ることにより生じる遠心力による曲げ荷重よって、竿本体１が先端側ほど大きく撓んだ状態となり、また、対象魚が疑似餌等に食い付いた際にも、対象魚の引き、及びリールＲでの釣り糸Ｌの巻き取り等で生じる曲げ荷重により、竿本体１が先端側ほど大きく撓んだ状態となる。
【００３０】
キャスティング時や対象魚の釣り上げ時に竿本体１が撓んだ状態となっているときには、釣り人が把持した把持部９を支点にして竿本体１の先端部に荷重がかかって竿本体１に大きな曲げモーメント（内部曲げ応力）が作用しているが、竿本体１の内周面に補強塗膜２が形成されている為、竿本体１のみならず補強塗膜２にも曲げ荷重が作用することとなる。なお、この状態において竿本体１の外表面の装飾塗膜６にも曲げ荷重が作用することとなるが、長期にわたって使用された釣り竿の装飾塗膜６は、太陽光線の紫外線の照射等により劣化傾向にあるため、当該装飾塗膜６は曲げ荷重に対してさほど対抗せず、竿本体１及び補強用の補強塗膜２が曲げ荷重に対抗した状態となる。
【００３１】
したがって、従来の釣り竿では竿本体１に全て作用していた曲げ荷重の一部が補強塗膜２に作用する為、竿本体１に作用する曲げ荷重（曲げモーメント）が軽減されることとなり、竿本体１内に生じる内部応力を小さくすることができる。
【００３２】
このように補強塗膜２に曲げ荷重の一部を負担させることで、竿本体１（竿本体１を形成するカーボン繊維４と合成樹脂５との境界面近傍）に大きな内部応力が発生しないので、カーボン繊維４同士を接着した合成樹脂５が疲労しにくくなり、竿本体１を構成するカーボン繊維４同士が剥離するのを防止することができる。したがって、上記構成の釣り竿によれば、竿本体１が本来有する特性を長期にわたって保つことができる。
【００３３】
尚、本発明の釣り竿は、上記実施形態に限定されるものではなく、本発明の要旨を逸脱しない範囲内において種々変更を加え得ることは勿論である。
【００３４】
上記実施形態において、竿本体１の内周面に樹脂塗料を塗布することにより補強材２としての補強塗膜２を形成するようにしたが、これに限定されるものではなく、例えば、竿本体１の内周形状に対応して先細りした樹脂製のチューブを補強材２として先に作成し、竿本体１と同軸をなすようにチューブを挿入し、該チューブの外周面と竿本体１の内周面とを接着するようにしてもよい。
【００３５】
このようにしても、キャスティングや対象魚の釣り上げ時に生じる曲げ荷重を、竿本体１及びチューブに作用させることができ、上記実施形態と同様にカーボン繊維４と合成樹脂５との剥離を防止して竿本体１が本来有する特性を長期に亘り保つことができる。
【００３６】
上記実施形態において、竿本体１を形成する繊維強化樹脂の強化用繊維としてカーボン繊維４を採用したが、これに限定されるものではなく、例えば、ガラス繊維やケプラ等の強化樹脂繊維等を採用することものでる。
【００３７】
上記実施形態において、継ぎ目のないワンピースロッドを例に挙げて説明したが、本発明の釣り竿は、ワンピースロッドに限定されるものではなく、例えば、複数の筒状のピースを継ぎ足して一本の竿本体１にする継ぎタイプの釣り竿や、先細りに形成された筒状をなす大径のピースに対して、先細りした小径のピースが内挿され、該小径のピースを大径のピースから引き出すことで長尺な一本の竿本体１となる、いわゆる振り出し竿などであっても勿論よい。
【００３８】
この場合、竿本体１を構成する各ピースに補強材２を設ければよい。このようにすれば、複数のピースを一本の竿本体１とした際に、当該竿本体１の内部形状に対応した補強材２が形成され、上記実施形態と同様の作用、効果を奏することができる。
【００３９】
上記実施形態における釣り竿は、リールＲを取り付けて使用する形態のものであるが、これに限定されるものではなく、リールＲを取り付けない形態の釣り竿、すなわち、竿本体１にガイドリング７，７…やリールシート部８が設けられていない釣り竿や、竿本体１自体を釣り竿としたものであってもよい。この種の釣り竿としては、鮎釣り用の釣り竿、鯉釣り用の釣り竿、鮒釣り用の釣り竿等が周知である。
【００４０】
【発明の効果】
本発明にかかる釣り竿によれば、竿本体と同軸をなすとともに、竿本体の内周面に外周面を密接させた筒状の補強材が設けられているので、竿本体が本来有する特性を長期にわたって保つことができる。
【図面の簡単な説明】
【図１】本発明の一実施形態にかかる釣り竿の全体斜視図を示す。
【図２】同実施形態にかかる竿本体の部分拡大断面図を示す。
【符号の説明】
１…竿本体、２…塗膜（補強塗膜、補強材）、３…グリップ体、４…カーボン繊維、５…合成樹脂、６…装飾塗膜、７…ガイドリング、８…リールシート部、９…把持部、１０…第一取付部、１１…リール取付体、１２…固定ナット、１３…第二取付部、Ｒ…リール、Ｆ…フット、Ｌ…釣り糸
【図１】
2004194645.tif 000003
【図２】
2004194645.tif 000004